(57)【要約】【課題】  エプロンの取り付けに邪魔にならない支柱を用いて転倒防止が図れるステップ付き浴槽の設置構造を提供する。【解決手段】  防水パンの洗い場面と浴槽設置面の境に設けられる凸条の堤防４の真上に浴槽６のステップ６ａが位置するように設置されるステップ６ａ付き浴槽６において、ステップ６ａの裏面に支柱８を設け、この支柱８の下端が防水パンの堤防４上に載るように構成し、支柱８は、高さ調整可能にボルト１４とナット部材９で構成されており、支柱８の下端と堤防４の上面間には受け部材１９が挟み込まれて、この受け部材１９のズレがカバー部材１７で防止されている。【選択図】        図５
2006006846.tif 000002
【特許請求の範囲】
【請求項１】
防水パンの洗い場面と浴槽設置面の境に設けられる凸条の堤防の真上に浴槽のステップが位置するように設置されるステップ付き浴槽において、前記ステップの裏面に支柱を設け、該支柱の下端が前記堤防の上に載るように構成したことを特徴とする浴槽の設置構造。
【請求項２】
前記支柱が、高さ調整可能にボルトとナット部材で構成されていることを特徴とする請求項１に記載の浴槽の設置構造。
【請求項３】
前記ナット部材は、前記ステップの下面に設けられたリブにビス固定できる表側面と、リブを有しないステップの下面にビス固定できる平面状の裏側面を備えていることを特徴とする請求項２に記載の浴槽の設置構造。
【請求項４】
前記支柱の下端と前記堤防上面間に衝撃緩衝用の受け部材を挟み込むとともに、該受け部材のズレを防止し得るカバー部材を前記支柱の下端側に固設したことを特徴とする請求項１または請求項２に記載の浴槽の設置構造。
【発明の詳細な説明】
【技術分野】
【０００１】
この発明は、ステップを有する浴槽の設置構造に関するものである。
【背景技術】
【０００２】
従来、特許文献１に開示されているように、着座可能なステップを有する浴槽を設置するに際し、ステップの下に高さの高い脚を取り付け、この脚の下端を防水パンの洗い場側に載せた構造が存在する。
【特許文献１】特開２００２−１１２９１１号公報
【発明の開示】
【発明が解決しようとする課題】
【０００３】
特許文献１の構造では、高さの高い脚を洗い場側に載せているため、洗い場側からエプロンを取り付ける時に邪魔になり、脚を回避するためにエプロンを洗い場の手前側に配置すると、その分、洗い場が狭くなってしまうという問題点があった。
【課題を解決するための手段】
【０００４】
本発明は上記従来の問題点に鑑み案出したものであって、洗い場が狭くなることがなく、良好にステップの部分を補強して、浴槽への出入り時や座った時の転倒防止が図れる浴槽の設置構造を提供せんとするものであり、その請求項１は、防水パンの洗い場面と浴槽設置面の境に設けられる凸条の堤防の真上に浴槽のステップが位置するように設置されるステップ付き浴槽において、前記ステップの裏面に支柱を設け、該支柱の下端が前記堤防の上に載るように構成したことである。
また、請求項２は、前記支柱が、高さ調整可能にボルトとナット部材で構成されていることである。
また、請求項３は、前記ナット部材は、前記ステップの下面に設けられたリブにビス固定できる表側面と、リブを有しないステップの下面にビス固定できる平面状の裏側面を備えていることである。
また、請求項４は、前記支柱の下端と前記堤防上面間に衝撃緩衝用の受け部材を挟み込むとともに、該受け部材のズレを防止し得るカバー部材を前記支柱の下端側に固設したことである。
【発明の効果】
【０００５】
本発明は、浴槽のステップの裏面に支柱を設け、支柱の下端が防水パンの堤防の上に載るように構成したことにより、高さの低い支柱でコストを低減させて良好にステップの部分を補強することができ、また、洗い場側からエプロンを取り付ける際にも支柱が邪魔にならず、洗い場を広く確保することができるものとなる。
【０００６】
また、支柱が、高さ調整可能にボルトとナット部材で構成されていることにより、浴槽設置後に支柱の高さを調節して、がたつくことなく良好に浴槽を設置できるものとなる。
【０００７】
また、ナット部材は、ステップの下面に設けられたリブにビス固定できる表側面と、リブを有しないステップの下面にビス固定できる平面状の裏側面を備えていることにより、ステップの下面にリブが存在する浴槽にも、またリブの存在しない浴槽にも良好に対応させて、ナット部材をステップの下面に固定でき、良好にステップの下面に支柱を取り付けることができるものとなる。
【０００８】
また、支柱の下端と堤防上面間に衝撃緩衝用の受け部材を挟み込むとともに、受け部材のズレを防止し得るカバー部材を支柱の下端側に固設したことにより、ステップ上に人が乗った時に受け部材で良好に衝撃を吸収でき、衝撃音の生じない設置状態が得られ、また、カバー部材により受け部材がズレ落ちることを良好に防ぐことができるものとなる。
【実施例】
【０００９】
以下、本発明の実施例を図面に基づいて説明する。
図１は、防水パン上にステップ付き浴槽を設置した状態の平面構成図であり、また図２は、図１の縦断面側面構成図である。
【００１０】
防水パン１は、図３の斜視図で示すように、洗い場面２と浴槽設置面３間に、上方へ立ち上げて堤防４が幅方向に一体形成されており、この堤防４の中央側には、さらに上方へ突出した突起５，５が一体形成されている。
【００１１】
図１及び図２に示すように、堤防４の上面の突起５，５の部分に支柱８，８を立設し、この支柱８，８で浴槽６のステップ６ａの裏面を支持して、浴槽６のステップ６ａに座った時等に浴槽が転倒することなく良好に保持されるように構成されており、この支柱８，８は、浴槽のステップ６ａの裏面下に設けられて、その下端は堤防４上に載るように設置されている。
なお、浴槽６の着座可能なステップ６ａの部分が、設置状態で防水パン１の堤防４の真上に位置するように予め設定されている。
【００１２】
なお、図４は、支柱８の部分の拡大縦断面構成図であり、堤防４の洗い場面２側にエプロン７の下端が配置され、エプロン７の取り付け時に支柱８が邪魔になることはなく、そのため洗い場面２を広く確保できるように構成されている。
【００１３】
本例では、支柱８は、図６に分解斜視図で示すような部材で構成されており、図５の拡大図で示すように設置されるものである。
なお、図７は、図５の洗い場面２側から見た正面構成図である。
支柱８は、ナット部材９と、ボルト１４と、ナット１５，１６と、カバー部材１７と、受け部材１９で構成されている。
【００１４】
ナット部材９は、本体平面部１０の表側面９ａに、内側に雌ネジ部１１ａを形成した雌ネジボス１１が一体状に立設されており、また、本体平面部１０の前端部には立ち上げ状に立上片１２が一体形成されており、この立上片１２には、上方が開放された縦長状のビス孔１２ａ，１２ａが形成されている。
この立上片１２と、本体平面部１０から立ち上がる複数のリブ１３，１３，１３間には、係入溝Ｍが直線状に形成されている。
また、本体平面部１０の雌ネジボス１１の両側には、上下に貫通して長孔状のビス長孔１０ａ，１０ａが形成されている。
なお、図８は、ナット部材９を裏返した状態の斜視図を示すものである。
【００１５】
また、カバー部材１７は、上面カバー片１７ａの洗い場２側に垂下状に前カバー片１７ｂが一体形成されており、反対の後端側には、後カバー片１７ｃが垂下状に一体形成されており、また、両側の側面にも垂下状に側カバー片１７ｄ，１７ｄが一体形成されている。また、上面カバー片１７ａから後カバー片１７ｃに亘り、上下に貫通してボルト１４を通すボルト通し長孔１８が形成されている。
また、受け部材１９は、ゴム等の衝撃緩衝性能を有する素材で形成されており、上面１９ａの前端側に垂下状に前垂下片１９ｂが一体形成され、また、上面１９ａの後端側には垂下状に後係止片１９ｃが一体形成されており、この後係止片１９ｃと前垂下片１９ｂ間に凹み状に嵌合凹部２０が形成されている。
【００１６】
なお、図５では、浴槽のステップ６ａの裏面に垂下状に補強用のリブ６ｂが一体形成されている場合であり、この浴槽のリブ６ｂを、ナット部材９の係入溝Ｍ内に差し込んで、リブ６ｂの洗い場２側にナット部材９の立上片１２を当接させて、この状態でビス孔１２ａ，１２ａ内にビス２１を差し込んで、ビス２１をリブ６ｂにねじ込むことで、リブ６ｂにビス２１を介してナット部材９を固定することができるものである。
このナット部材９の雌ネジ部１１ａに対し、下方側からボルト１４を螺合させて、ナット１５で位置決めすることができ、また、ボルト１４の下端の頭部１４ａとナット１６間にカバー部材１７を挟み込んで固定することができるものである。
【００１７】
なお、受け部材１９は、防水パンの堤防４の突起５に嵌合凹部２０に係合させて、突起５上に被せて取り付けることができ、さらに、この受け部材１９の前後左右をカバー部材１７の前カバー片１７ｂ，後カバー片１７ｃ，側カバー片１７ｄ，１７ｄで包囲して、受け部材１９のズレを防ぐことができるものである。
【００１８】
なお、ナット１５を弛めて、ボルト１４を雌ネジ部１１ａに対し螺進退させて高さ調整することができ、浴槽１を設置した後に高さ調整して、浴槽１のがたつきを無くすことができるものである。
この場合、ボルト１４の頭部１４ａが受け部材１９に当接状態となり、浴槽６内に入る時とか、ステップ６ａ上に着座した時等には、受け部材１９で衝撃が緩衝されて、音が発生することが良好に防がれるものとなる。
【００１９】
本例では、ステップ６ａの下面と堤防４の上面間に支柱８が立設されるため、支柱８のボルト１４の寸法は短いものであれば良く、短い部材で構成できるためコストを低減させることができ、しかも、強固にステップ６ａの下部を補強することができるものとなる。
【００２０】
次に、図９及び図１０で示すものは、浴槽６のステップ６ａの裏面にリブ６ｂが存在しない場合の設置状態図であり、この場合は、ステップ６ａの下面に、予め平板状の補強材２２を貼着等の手段により固定しておき、この補強材２２の下面に、図８のように、ナット部材９の裏側面９ｂを上方に向けて固設することができるものである。
【００２１】
即ち、ナット部材９の本体平面部１０のビス長孔１０ａ，１０ａ内に下方よりビス２１，２１を入れて、ビス２１を補強材２２にねじ込んで、ビス２１，２１を介しナット部材９を固定することができ、このナット部材９の雌ネジ部１１ａに対し下方よりボルト１４を螺合させることができるものである。
この場合も、ボルト１４を高さ調整した後に、ナット１５で締め付けて、ボルト１４の高さを固定することができ、また、ナット１６を締め付けてボルトの頭部１４ａとの間にカバー部材１７を固定することができ、カバー部材１７で受け部材１９を包囲して、受け部材１９のズレを良好に防ぐことができるものである。
【００２２】
このようにリブ６ｂを有する浴槽６に対しては、ナット部材９の表側面９ａを上向きにして、リブ６ｂにナット部材９を固定することができ、また、リブ６ｂが存在しない浴槽６においては、図８のように、ナット部材９の裏側面９ｂを上向きにして良好に固定することができるものである。
【図面の簡単な説明】
【００２３】
【図１】防水パン上に浴槽を設置した状態の平面構成図である。
【図２】図１の縦断面側面構成図である。
【図３】防水パンの斜視構成図である。
【図４】ステップの下部の拡大縦断面構成図である。
【図５】さらにステップの下部の支柱を拡大した縦断面構成図である。
【図６】支柱の構成部材の分解斜視図である。
【図７】図５のステップの下部の支柱を洗い場側から見た正面構成図である。
【図８】ナット部材の裏側面を上向きにした斜視構成図である。
【図９】リブの存在しない浴槽に支柱を設置した状態の縦断面拡大構成図である。
【図１０】図９のステップの下部の支柱を洗い場側から見た正面構成図である。
【符号の説明】
【００２４】
１  防水パン
２  洗い場面
３  浴槽設置面
４  堤防
５  突起
６  浴槽
６ａ  ステップ
６ｂ  リブ
７  エプロン
８  支柱
９  ナット部材
９ａ  表側面
９ｂ  裏側面
１０  本体平面部
１０ａ  ビス長孔
１１  雌ネジボス
１１ａ  雌ネジ部
１２  立上片
１２ａ  ビス孔
１３  リブ
１４  ボルト
１４ａ  頭部
１５，１６  ナット
１７  カバー部材
１７ａ  上面カバー片
１７ｂ  前カバー片
１７ｃ  後カバー片
１７ｄ  側カバー片
１８  ボルト通し長孔
１９  受け部材
２０  嵌合凹部
２１  ビス
２２  補強材
【図１】
2006006846.tif 000003
【図２】
2006006846.tif 000004
【図３】
2006006846.tif 000005
【図４】
2006006846.tif 000006
【図５】
2006006846.tif 000007
【図６】
2006006846.tif 000008
【図７】
2006006846.tif 000009
【図８】
2006006846.tif 000010
【図９】
2006006846.tif 000011
【図１０】
2006006846.tif 000012